【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
観客用表示装置によって観客の観覧対象となる対象キャラクタが表示される際に、当該対象キャラクタの表示を制御する観客用表示制御手段と、
前記観客に関する情報である観客情報を取得する観客情報取得手段と、
操作者によって視認されるモニタ表示装置に、前記対象キャラクタの動作を制御するための操作コマンド候補を提示する提示手段と、
前記提示手段によって提示された前記操作コマンド候補の中から、前記操作者による操作コマンドの選択を受け付ける受付手段と、
前記受付手段によって受け付けられた操作コマンドに基づいて、前記対象キャラクタの動作を制御する動作制御手段と、
を備え、
前記提示手段が、
前記観客情報取得手段によって取得された前記観客情報に基づいた前記操作コマンド候補を提示することを特徴とする操作制御システム。
【請求項２】
請求項１に記載の操作制御システムにおいて、
前記モニタ表示装置に前記対象キャラクタを表示させるモニタ表示制御手段を更に備え、
前記提示手段が、
前記対象キャラクタとともに前記操作コマンド候補を提示する、操作制御システム。
【請求項３】
請求項１又は２に記載の操作制御システムにおいて、
前記提示手段が、
前記操作コマンド候補とともに、前記観客情報を提示する、操作制御システム。
【請求項４】
請求項３に記載の操作制御システムにおいて、
前記観客毎の個人情報を記憶する記憶手段を更に備え、
前記提示手段が、
前記記憶手段に記憶された複数の前記観客の個人情報に応じた前記観客情報を提示する、操作制御システム。
【請求項５】
請求項１〜４のいずれか１項に記載の操作制御システムにおいて、
前記対象キャラクタの動作制御が実行された際に受け付けられた操作コマンドの情報を使用履歴情報として記憶手段に登録して蓄積する登録手段をさらに備え、
前記提示手段が、
前記観客情報及び前記使用履歴情報に応じた前記操作コマンド候補を提示する、操作制御システム。
【請求項６】
請求項５に記載の操作制御システムにおいて、
前記使用履歴情報には、操作コマンドと当該操作コマンドを受け付けた際に利用した観客情報を含み、
前記提示手段が、
前記使用履歴情報に基づく所与の解析結果と、前記観客情報とに応じた前記操作コマンド候補を提示する、操作制御システム。
【請求項７】
請求項１〜６のいずれか１項に記載の操作制御システムにおいて、
前記観客情報取得手段が、
各前記観客の状態を前記観客情報として取得し、
前記提示手段が、
前記観客の状態を含む前記観客情報に応じた前記操作コマンド候補を提示する、操作制御システム。
【請求項８】
請求項１〜７のいずれか１項に記載の操作制御システムにおいて、
前記受付手段が、
前記操作コマンドとともに、前記対象キャラクタの動作を享受する特定の観客を指定する観客指定指示を受け付け、
前記動作制御手段が、
前記観客指定指示によって特定される観客に向けて前記対象キャラクタの動作を制御する、操作制御システム。
【請求項９】
請求項１〜８のいずれか１項に記載の操作制御システムにおいて、
前記提示手段が、
前記対象キャラクタの動作状況に応じて定まる操作コマンドを前記操作コマンド候補に含めて提示する、操作制御システム。
【請求項１０】
請求項１〜９のいずれか１項に記載の操作制御システムにおいて、
前記提示手段が、
前記対象キャラクタにおける画像生成の開始タイミングからの経過時間、当該画像生成中に受け付けられた操作コマンドの受付回数、又は、当該画像生成中に受け付けられた前記操作コマンドの種別の組み合わせに応じて前記提示する操作コマンドの種別を変更する、操作制御システム。
【請求項１１】
請求項１〜９のいずれか１項に記載の操作制御システムにおいて、
所与のアルゴリズムに従いつつ、前記対象キャラクタの動作を画像化している場合に、
各操作コマンドには、前記対象キャラクタにおける画像生成の開始タイミングから当該操作コマンドの受け付けが許容される時刻を示す受付完了許容時刻又は複数の所与の区間が定められて当該画像生成が実行されている場合において当該操作コマンドの受け付けが許容される区間を示す区間情報と、前記各操作コマンドに基づいて前記対象キャラクタの動作制御が実行される実行時間と、が規定されており、
前記提示手段が、
前記対象キャラクタにおける画像生成の開始タイミングからの経過時間又は前記操作コマンドを提示するタイミングが属する区間と、前記各操作コマンドの実行時間と、に応じて、前記提示する操作コマンドの種別を決定し、又は、前記対象キャラクタの動作制御の内容を変更した操作コマンドを提示する、操作制御システム。
【請求項１２】
請求項１〜１１のいずれか１項に記載の操作制御システムにおいて、
前記動作制御手段が、
前記対象キャラクタにおける画像生成中に操作コマンドが受け付けられた場合に、予め定められたタイミングから当該受け付けられた操作コマンドに基づく前記対象キャラクタの動作制御を開始する、操作制御システム。
【請求項１３】
請求項１〜１２のいずれか１項に記載の操作制御システムにおいて、
前記提示手段が、
前記操作コマンド候補を提示中に、当該タイミングによって受け付けた操作コマンドに基づいて前記対象キャラクタの動作制御が開始される動作開始時刻又は当該動作開始時刻に関する時間を提示する、操作制御システム。
【請求項１４】
請求項１〜１３のいずれか１項に記載の操作制御システムにおいて、
前記動作制御手段が、
所与のアルゴリズムに従いつつ、前記オブジェクト空間に配置された対象キャラクタの動作を画像化している場合であって、操作コマンドが受け付けられた場合に、当該操作コマンドを受け付けた後のアルゴリズムを、前記受け付けられた操作コマンドに応じて変更し、当該変更したアルゴリズムに従って前記対象キャラクタの動作を制御する、操作制御システム。
【請求項１５】
観客用表示装置によって観客の観覧対象となる対象キャラクタが表示される際に、当該対象キャラクタの表示を制御する観客用表示制御手段、
前記観客に関する情報である観客情報を取得する観客情報取得手段と、
操作者によって視認されるモニタ表示装置に、前記対象キャラクタの動作を制御するための操作コマンド候補を提示する提示手段、
前記提示手段によって提示された操作コマンド候補の中から、前記操作者による操作コマンドの選択を受け付ける受付手段、及び、
前記受付手段によって受け付けられた操作コマンドに基づいて、前記対象キャラクタの動作を制御する動作制御手段、
としてコンピュータを機能させ、
前記提示手段が、
前記観客情報取得手段によって取得された前記観客情報に基づいた前記操作コマンド候補を提示することを特徴とするプログラム。
【請求項１６】
観客の観覧対象となる対象キャラクタを表示する際に用いる観客用表示装置と、
前記対象キャラクタの動作を操作制御する操作制御システムと、
を備え、
前記操作制御システムが、
前記対象キャラクタの表示を制御する観客用表示制御手段と、
前記観客に関する情報である観客情報を取得する観客情報取得手段と、
操作者によって視認されるモニタ表示装置に、前記対象キャラクタの動作を制御するための操作コマンド候補を提示する提示手段と、
前記提示手段によって提示された操作コマンド候補の中から、前記操作者による操作コマンドの選択を受け付ける受付手段と、
前記受付手段によって受け付けられた操作コマンドに基づいて、前記対象キャラクタの動作を制御する動作制御手段と、
を備え、
前記提示手段が、
前記観客情報取得手段によって取得された前記観客情報に基づいた前記操作コマンド候補を提示することを特徴とするキャラクタ上映システム。